Podtech/llm-jp-corpus-v4-ja_patent huggingface dataset:
(57)【要約】【課題】アルミニウム合金の表面処理技術、特にはクロム酸塩系表面処理技術を提供することを目的とする。【解決手段】アルミニウム合金に亜鉛置換メッキを用いて被膜形成させ、その形成された被膜状に三価クロメート皮膜を形成させるアルミニウム及びアルミニウム合金の表面処理方法。【特許請求の範囲】
【請求項１】
アルミニウム合金に亜鉛置換メッキを用いて被膜形成させ、その形成された皮膜上に三価クロメート皮膜を形成させるアルミニウム及びアルミニウム合金の表面処理方法。
【請求項２】
請求項１において、前記三価クロメート皮膜上に樹脂皮膜を形成させるアルミニウム合金の表面処理方法。
【発明の詳細な説明】
【０００１】
【発明の属する技術分野】
本発明は、アルミニウム合金の表面処理技術、特にはクロム酸塩系表面処理技術に関するものである。
【０００２】
【従来の技術】
従来、アルミニウムおよびアルミニウム合金の表面処理（防錆処理）としては、アルマイト処理やアロジン処理等がある。前者のアルマイト処理（陽極酸化皮膜）は電気的な方法であって、同時に任意の色に着色できる利点はあるが高価な設備が必要となる点で比較的にコスト高であり、後者のアロジン処理（一般にはクロム酸塩系が多い）は無電解の化学的な方法（化学皮膜処理）であって、浸漬のみで処理できることから比較的処理操作が簡便なことから比較的に低コストとなり一般的に多く用いられている。また、化学的浸漬法としてはジルコニューム系、フッ化亜鉛系、マンガン系等の皮膜剤もあるが、いずれも高価な処理法となり耐食性効果の点でもよくない。
【０００３】
【特許文献１】
特開平０５−１１７８６８
【０００４】
【発明が解決しようとする課題】
しかしながら、アロジン処理では、有害な六価クロムを酸化防錆用として使用しているために、環境面からも使用が規制されるとともに、その廃液処理に膨大な費用がかかり、従来のようなアロジン処理を続けることは、環境面からも、コスト面からも困難な状況にきているといえる。
【０００５】
そこで、本発明の目的は、アロジン処理法に換わる廉価な、しかも環境にやさしいアルミの表面処理方法を提供する点にある。
【０００６】
【課題を解決するための手段】
本発明の請求項１の発明は、アルミニウム合金に亜鉛置換メッキを用いて被膜形成させ、その形成された皮膜上に三価クロメート皮膜を形成させるアルミニウム及びアルミニウム合金の表面処理方法であり、本発明の請求項２の発明は、請求項１において、前記三価クロメート皮膜上に樹脂皮膜を形成させるアルミニウム合金の表面処理方法である。
【０００７】
本発明の第１の特徴は、アルミニウム合金の表面に先ず亜鉛置換皮膜を形成させ、その上に三価クロメート皮膜を形成させることにある。これによって、アルミニウム合金表面にＡｌ−Ｚｎ−Ｃｒの強固な皮膜が形成され得る。
【０００８】
本発明による上記のＡｌ−Ｚｎ−Ｃｒ皮膜は、アロジン処理法とほぼ同等の耐食性のある皮膜が形成されうることが耐食性試験から確認された。
【０００９】
また、本発明の第２の特徴は、前記皮膜の上にさらにトップコート等の樹脂皮膜を追加使用することにあり、それによってアロジン処理法以上の耐食性を発揮できることが耐食性試験から確認できた。
【００１０】
【発明の実施の形態】
以下、本発明の実施の形態について説明する。
【００１１】
被表面処理用の素材としてアルミダイカストＡＤＣ１２（自動車等において多用されている一般的なアルミ合金）が用いられた。亜鉛置換メッキは上記の素材をメッキ液に浸漬させ素材表面を亜鉛で被覆させるが、このとき用いられる液としては、たとえば、ＩＣ−０３１３（デップソール株式会社製）等があるが、本発明では自社製の改良品（ロッシェル塩、塩化第２鉄入り）を用いた。さらに、亜鉛置換後に三価クロメート処理が施されるが、このとき用いられる三価クロメート液としては、たとえばＺＴ−４４４Ｓ、又はＺＴ−４４４Ａ（デップソール株式会社製）等が用いられる。その後、形成された三価クロメート被膜の防錆や保護を目的としてトップコート等の樹脂被膜をその上に形成させることにより、さらに耐食性のある強固な皮膜を形成させることが出来る。このとき用いられる樹脂コート剤としては、たとえば、ＣＣ−４４５Ｙ（デップソール株式会社製）等が用いられる。本発明の方法によって表面処理されたアルミ合金を用いて耐食性の評価試験が行われた。評価試験方法は塩水噴霧法（ＪＩＳ−Ｚ−２３７１）による。
【００１２】
【実施例】
本発明の方法を用いて、アルミニウム合金表面の防錆処理を行った。基材となるアルミニウム合金はＡＤＣ−１２合金を用いた。亜鉛置換メッキ用のメッキ液としては、ＩＣ−０３１３（デップソール株式会社製）を改良した自社製（ロッシェル塩及び塩化第２鉄入り）の物を用いた。また、三価クロメート処理液としては、ＺＴ−４４４Ａ（デップソール株式会社製）を用いた。上記メッキ液を用いて、アルミニウム合金基材の表面に、先ず亜鉛置換を行い、続いて三価クロメート処理を行った。さらに、この上にトップコート剤（ＣＣ−４４５Ｙ）を用いて、樹脂コーティングを行った。上記のようにして得られた本発明の防錆処理皮膜に対して、耐食性試験をＪＩＳ−Ｚ−２３７１に準じて行った。結果を表１に示す。
【００１３】
なお、比較例として（３）ＡＤＣ−１２基材（皮膜処理なし品）、（４）三価クロメート処理のみ品、（５）亜鉛置換処理のみ品、（６）アロジン処理品、（７）ジルコニューム系液処理品、（８）フッ化亜鉛系液処理品、についても同様の評価試験を行ったので、表１に示す。
【００１４】
表１。耐食性評価試験結果（ＪＩＳ−Ｚ−２３７１による）、数字は白錆％
2005008914.tif 000002
【００１５】
【発明の効果】
以上説明のごとく、本発明は、アルミ合金用表面処理方法において、アルミ合金上に先ず亜鉛置換液を用いて被膜形成させ、その形成された被膜上に三価クロメート被膜を形成させること、さらには、その上に樹脂コートすることにより、耐食性に優れた強固な被膜の形成手段を提供するとともに、環境に有害な六価クロムを使用しない、環境に優しい、かつ廉価な被膜形成方法を提供するものである。
(57)【要約】【課題】現在緊急時にカイトボーデリング等のインフレータブルカイトやラムエアーカイトは二本のラインを使用したクイックリリースシステムはツーラインのみ有効であったが、作動時にラインを切り放して浮遊さすシステムであった。ツーラインに比べ、よりコントロールの出来るフォーライン等で使用する二本以上のラインを使用した連動クイックリリースシステムを提供する事。【解決手段】カイト端のリーディングエッジとは別のカイト端から繋がったライン７と８からコントロールバー端に緊急時にラインを切り離し、早期取り外し可能な部品にクイックリリースシステム１と２とし、１と２をそれぞれ二組設け、そのクイックリリースシステムから９と１０に繋がる、５と６のラインを設け、１と２のクイックリリースシステムの間に連鎖して作動する４の連動クイックリリースシステムを設け、４に連なって作動する３の引く部を設けた。これによりクイックリリース作動時における７と８のラインの遊びや絡みを最小限に抑え、かつ安全に使用することの出来る連動クイックリリースシステムが出来る。【選択図】  図１
2005008133.tif 000002
【特許請求の範囲】
【請求項１】
カイト端から連なるリーディングエッジとは別の７と８の二本のラインの上に繋がった１１のバー側にクイックリリースシステム１と２をそれぞれ二組設け、１と２に連鎖して作動する４の連動クイックリリースシステム。
【請求項２】
１と２のクイックリリースシステムから９と１０に連なったライン５と６を連鎖させた請求項１の２の連動クイックリリースシステム。
【請求項３】
請求項１のクイックリリースシステムにスナップシャックルを用いた請求項１に至る３の連動クイックリリースシステム。
【発明の詳細な説明】
【０００１】ツーラインに比べ、よりコントロールの出来るフォーライン等で使用する二本以上のラインを使用した連動クイックリリースシステムを提供する事。
【従来の技術】
【０００２】緊急時にカイトボーデリング等のインフレータブルカイトやラムエアーカイトは二本のラインを使用したクイックリリースシステムはツーラインのみ有効であったが、作動時にラインを切り放して浮遊さすシステムであった。
【解決手段】カイト端のリーディングエッジとは別のカイト端から繋がったライン７と８からコントロールバー端に緊急時にラインを切り離し、早期取り外し可能な部品にクイックリリースシステム１と２とし、１と２をそれぞれ二組設け、そのクイックリリースシステムから９と１０に繋がる、５と６のラインを設け、１と２のクイックリリースシステムの間に連鎖して作動する４の連動クイックリリースシステムを設け、４に連なって作動する３の引く部を設けた。これによりクイックリリース作動時における７と８のラインの遊びや絡みを最小限に抑え、かつ安全に使用することの出来る連動クイックリリースシステムが出来る。
【発明の効果】ハーネスやチキンループをハーネスフックからはずさなくても、危機を感じた場合や緊急時に素早く連動クイックリリースシステムを作動させることが出来る。またラインの浮遊を最小限に抑えることで安全性を高め、カイトを落とした後のラインの回収もすばやくできる。
【図面の簡単な説明】
【図１】「カイトを示した平面図である。」
【符号の説明】
１  クイックリリースシステム
２  クイックリリースシステム
３  引く部
４  連動クイックリリースシステム
５  ライン
６  ライン
７  ライン
８  ライン
９  ライン
１０  ライン
１１  バー
【図１】
2005008133.tif 000003
(57)【要約】【課題】この発明は船底にフジツボや貝や藻類が繁殖したり、水垢が付着することなくするために、船底が接触する環境を生物生存環境で無い閉鎖滞留域にすると共に擦れ体で船底を波の力で擦るようにした装置に関するものである。【解決手段】船底に合わせた形を持つ▲１▼浮力体を設け、▲２▼固定取っ手を設け、船底の接触する部分に船底を傷つけない▲３▼擦り体を設け、浮力体の船の入り口に▲４▼開閉扉を設け、▲５▼扉開閉具を設け、▲６▼扉開閉ガイドを設け、▲７▼固定重りを設け、▲８▼固定綱を設ける。【選択図】図１
2005008137.tif 000002
【特許請求の範囲】
【請求項１】
（イ）船底に合わせた形を持つ▲１▼浮力体を設ける。
（ロ）▲２▼固定取っ手を設ける。
以上の如く構成された船底洗浄装置。
【請求項２】
船底の接触する部分に船底を傷つけない▲３▼擦り体を設けた請求項１の船底洗浄装置。
【請求項３】
浮力体の船の入り口に▲４▼開閉扉と▲５▼扉開閉具▲６▼扉開閉ガイド▲７▼固定重り▲８▼固定綱を設けた請求項１の船底洗浄装置。
【発明の詳細な説明】
【発明の属する技術分野】
【０００１】
この発明は船底の形を持つ▲１▼浮力体を設け、▲２▼固定取っ手を設け、船底の接触する部分にスポンジあるいは細かい毛のある柔らかい船底を傷つけない▲３▼擦り体を設け、浮力体の船の入り口に▲４▼開閉扉と▲５▼扉開閉具と▲６▼扉開閉ガイドと▲７▼固定重り▲８▼固定網を設けた船底洗浄装置に関するものである。
【０００２】
【従来の技術】
従来、このようなものは無く、船底に水垢が付着したりフジツボが付着したりし、船の速度性能に悪影響を及ぼしたりしていたため、船底の掃除をする必要があった。また、塗料を塗り替えたりする必要もあった。
【０００３】
【発明が解決しようとする課題】
本案はこの欠点を取り除くために、この船底洗浄について、多くの方々が解決策を研究したが環境を壊さない労力をようしないものは解決しなかった。本発明はこうした人々の強い要望にこたえるために考案されたものであり、船底に閉鎖滞留水が常に接触するようにし、日光による閉鎖滞留水温度上昇により、生物生存環境で無い状況を作り、フジツボや貝や藻類が繁殖しないようにする。また、浮力体に船の出入りができるとともに閉鎖滞留域を保てるように、開閉扉を設けた。さらに、擦り体を設けることによって、船や浮力体の揺れによって船底が擦れ水垢が付着しない環境を作り出すように発明されたのである。
【０００４】
【課題を解決するための手段】
今、その構成を説明すると、
（イ）船底に合わせた形を持つ▲１▼浮力体を設ける。
（ロ）▲２▼固定取っ手を設ける。
（ハ）船底の接触する部分に船底を傷つけない▲３▼擦り体を設ける。
（ニ）浮力体の船の入り口に▲４▼開閉扉を設ける。
（ホ）▲５▼扉開閉具を設ける。
（ニ）▲６▼扉開閉ガイドを設ける。
（ホ）▲７▼固定重り
（ヘ）▲８▼固定綱
以上のように装置する。
【０００５】
【発明の実施の形態】
次に本発明の実施の形態を述べると、船底がすれすれで入る程度の浮力調節をした船底に合わせた形を持つ▲１▼浮力体を設け、固定用の▲２▼固定取っ手を設け固定する。船底の接触する部分に船底を傷つけない▲３▼擦り体を設け、浮力体の船の入り口に浮力で昇降する▲４▼開閉扉を設け、扉の上げ下げを調節する重りと格納穴と加重ガイド穴と重りを繋ぐロープとロープを固定する穴を持つ▲５▼扉開閉具を設け、扉が一定の動きをするよう▲６▼扉開閉ガイドを設ける。船を出し入れするときは格納穴の重りを加重ガイド穴に移し、扉を船底部まで下げる。船を内部に納めるときは、ロープをたぐり、重りを格納穴に移し、扉を上げて、船底が浮力体で囲まれるようにし、船底が隔離された滞留水で覆われるようにし、太陽光による滞留水の温度上昇や波による船底と浮力体の接触が継続的に起こるようにする。
【０００６】
【発明の効果】
従って、環境に悪影響を及ぼすことなく、停泊させているだけで、波で船あるいは浮力体のゆれによって、船底をフジツボや貝や藻類や水垢などの汚れから保護することができ、船の性能を守り清掃の労力を無くすことができる。また、使用済みペットボトルなどの樹脂を使用すれば、リサイクルにもつながる。
【図面の簡単な説明】
【図１】本発明の斜視図
【符号の説明】
１は浮力体
２は固定取っ手
３は擦り体
４は開閉扉
５は扉開閉具
６は扉開閉ガイド
７は固定重り
８は固定綱
【図１】
2005008137.tif 000003
(57)【要約】【課題】現在緊急時にカイトボーデリング等のインフレータブルカイトやラムエアーカイトは二本のラインを使用したクイックリリースシステムはツーラインのみ有効であったが、作動時にラインを切り離して浮遊さすシステムであった。このシステムはツーラインに比べ、よりコントロールの出来るフォーライン等で使用する二本以上のラインを使用した新クイックリリースシステムを提供する事。【解決手段】左右のリーディングエッジから繋がったシーティング下部１に早期取り外し可能なクイックリリースシステム２を設けライン３又は４から繋がったライン６を設ける事により、クイックリリース２に連なった引く部１０を作動後、カイトにかかる力を無くさせ、またリーディングエッジから繋がるライン７と８の浮遊を最小限に抑え、かつ安全にカイトを回収さす事の出来るシステム【選択図】  図１
2005008134.tif 000002
【特許請求の範囲】
【請求項１】
左右のリーディングエッジ側に繋がる７と８のラインと５のチキンループとの間に早期取り外し可能な部品２を設けた新クイックリリースシステム。
【請求項２】
３又は４のラインから２のクイックリリースシステムに６のラインを連動させた請求項１に至る２の新クイックリリースシステム。
【請求項３】
請求項１の早期取り外し可能な部品２にスナップシャックルを用いた請求項１に至る３の新クイックリリースシステム。
【発明の詳細な説明】
【０００１】ツーラインに比べ、よりコントロールの出来るフォーライン等で使用する二本以上のラインを使用した連動クイックリリースシステムを提供する事。
【従来の技術】
【０００２】緊急時にカイトボーデリング等のインフレータブルカイトやラムエアーカイトは二本のラインを使用したクイックリリースシステムはツーラインのみ有効であったが、作動時にラインを切り放して浮遊さすシステムであった。
【発明が解決しようとする課題】現在緊急時にカイトボーデリング等のインフレータブルカイトやラムエアーカイトは二本のラインを使用したクイックリリースシステムはツーラインのみ有効であったが、作動時にラインを切り離して浮遊さすシステムであった。このシステムはツーラインに比べ、よりコントロールの出来るフォーライン等で使用する二本以上のラインを使用した新クイックリリースシステムを提供する事。
【課題を解決するための手段】左右のリーディングエッジから繋がったシーティング下部１に早期取り外し可能なクイックリリースシステム２を設けライン３又は４から繋がったライン６を設ける事により、クイックリリース２に連なった引く部１０を作動後、カイトにかかる力を無くさせ、またリーディングエッジから繋がるライン７と８の浮遊を最小限に抑え、かつ安全にカイトを回収さす事の出来るシステム。
「発明の詳細な説明」
【０００１】ツーラインに比べ、よりコントロールの出来るフォーライン等で使用する二本以上のラインを使用した新クイックリリースシステムを提供する事。
【従来の技術】
【０００２】緊急時にカイトボーデリング等のインフレータブルカイトやラムエアーカイトは二本のラインを使用したクイックリリースシステムはツーラインのみ有効であったが、作動時にラインを切り放して浮遊さすシステムであった。
【解決手段】左右のリーディングエッジから繋がったシーティング下部１に早期取り外し可能なクイックリリースシステム２を設けライン３又は４から繋がったライン６を設ける事により、クイックリリース２に連なった引く部１０を作動後、カイトにかかる力を無くさせ、またリーディングエッジから繋がるライン７と８の浮遊を最小限に抑え、かつ安全にカイトを回収さす事の出来るシステム。
【発明の効果】ハーネスやチキンループをハーネスフックからはずさなくても、危機を感じた場合や緊急時に素早く新クイックリリースシステムを作動させることが出来る。またラインの浮遊を最小限に抑えることで安全性を高め、カイトを落とした後のラインの回収もすばやくできる。
【図面の簡単な説明】
【図１】「カイトを示した平面図である。」
【符号の説明】
１  シーティング
２  クイックリリースシステム
３  ライン
４  ライン
５  チキンループ
６  ライン
７  ライン
８  ライン
９  バー
１０  引く部
【図１】
2005008134.tif 000003
(57)【要約】      （修正有）【課題】車線変更や割りこみをせざるをえない際、譲ってくれたドライバーや、割りこんだ際の後方車ドライバーに，感謝の気持ちを伝えることを可能とする。【解決手段】リアーウィンドー３に電照盤、又は液晶盤４を設置することにより，文字表示という手段で、相手の視覚に確実に感謝の気持ちが伝わるようにする。【選択図】    図２
2005008135.tif 000002
【特許請求の範囲】
【請求項１】
車のリアーウィンドーに文字表示ができる電照盤
【発明の詳細な説明】
【００１】［発明の属する技術分野］
この発明は車のリアーウィンドーに文字表示ができるようにした電照盤に関するものである。
【００２】［従来の技法］
従来の電照盤は商店の広告、時刻表示、案内表示など、幅広く使用されているものである。
【００３】［発明が解決しようとする課題］
本発明は、車の車線変更や割りこみのあと、譲ってくれた車両ドライバーに、感謝の気持ちを文字表示により視覚に伝えることを課題として研究をすすめた。
【００４】［課題を解決するための手段］
ナンバープレート大の電子表示盤に発光ダイオードあるいは液晶を使用し、ハンドル部付近に配置したスイッチと連結させてリアーウィンドー部に文字表示ができるようにしたものである。
【００５】［発明の実施の形態］
以下、本発明の実施の形態について説明する。
ハンドル部付近に設置したスイッチとリアーウィンド部の電照盤・液晶盤を連結させ、スイッチを押すとリアーウィンド面に「ありがとう」、「サンキュー」の電照文字を表示することにより後方車両のドライバーに譲ってくれたことへの感謝の意を伝えられ、その意志を相手に感じさせることができるようにしたものである。
【００６】［発明の効果］
現在はクラクションを鳴らすか、ハザードランプの点滅などでしか相手に感謝の気持ちを伝えられない。
本発明を使用することにより、車線をゆずってくれたドライバーや、割りこんだ時、後方車ドライバーに感謝の気持ちを文字表示で伝えられ相手は感謝の意を視覚で確認でき不快感もやわらげられトラブル抑制にもなり一善の気分となる。
【図面の簡単な説明】
【図１】本発明の正面図
【図２】リアーウィンドーでの実際図
【符号の説明】（１）は電照盤、又は液晶盤
（２）は表示する文字
（３）はリアーウィンドー
（４）はリアーウィンドーに設置された電照盤、又は液晶盤
【図１】
2005008135.tif 000003
【図２】
2005008135.tif 000004
(57)【要約】      （修正有）【課題】駐輪中の自転車のハンドルがまがらない為のストッパーを提供する。【解決手段】このハンドルストッパを付ければ自転車をとめた時ハンドルが曲がらずまっすぐにとまり安定があります．ハンドルが曲がらずまっすぐとめられることは駐輪場でも自転車どうし絡ます．まっすぐにとまり安定感があります．【選択図】図１
2005008138.tif 000002
【特許請求の範囲】
【請求項１】
自転車のハンドルにハンドルストッパーを取り付ければ安定感があり、とめている時ハンドルが曲がらずまっすぐなのが特徴．
【発明の詳細な説明】
自転車にハンドルストッパーを装着すれば自転車を止めている時．このハンドルストッパーの効果が現れます．ハンドルについているかごに買い物などした場合荷物を乗せると特にハンドルが不安定で曲がり安定感がなく自転車が倒れやすくなります．だいたい荷物乗せなくても自転車をとめるとハンドルは不安定で曲がります．このハンドルストッパを付ければ自転車をとめた時ハンドルが曲がらずまっすぐにとまり安定があります．ハンドルが曲がらずまっすぐとめられることは駐輪場でも自転車どうし絡まず．まっすぐにとまり安定感があります．
本願の主旨は、このように、自転車に装着しておけば走行中は．なんら影響なく走れ．とめればハンドは曲がらず安定して自転車は倒れません．
【図面の簡単な説明】
【図１】自転車に取り付けした平面図である
【図２】自転車に取り付けした斜視図である
【符号の説明】
１  自転車
２  かご
３  ハンドルストッパー
４  アルミ．プラスチック
５  ゴム
【図１】
2005008138.tif 000003
【図２】
2005008138.tif 000004
(57)【要約】【目的】フィルムに対するポリビニルアルコール樹脂及び変性ポリビニルアルコール樹脂の接着性を改善する。【構成】アンカー剤として水溶性ポリエステル樹脂をコート乾燥し、その上にポリビニルアルコール樹脂及び変性ポリビニルアルコール樹脂をコートしたときの、未処理または表面処理した未延伸又は縦延伸後のフィルム及び延伸フィルムに対する接着性を改善する。【特許請求の範囲】
【請求項１】
未延伸又は縦延伸後のポリオレフィン、ポリエステル、ポリスチレン、ナイロン等の未処理または表面処理したフィルムにアンカー剤として水溶性ポリエステル樹脂を０．０１〜１．５ｇ／ｍ２コートを行い乾燥後、その上にポリビニルアルコール樹脂及び変性ポリビニルアルコール樹脂をコート乾燥し、横延伸後１５０℃〜３００℃で１〜９０秒熱処理することにより接着性を改善する。エージングを４０℃×２日以上行うとより改善される。
【請求項２】
ポリオレフィン、ポリエステル、ポリスチレン、ナイロン等の未処理または表面処理した延伸フィルムにアンカー剤として水溶性ポリエステル樹脂を０．０１〜１．５ｇ／ｍ２コート乾燥することにより、その上にポリビニルアルコール樹脂及び変性ポリビニルアルコール樹脂をコートした際の接着性を改善する。コート後１５０〜３００℃で１〜９０秒熱処理することによりさらに接着性を改善することができる。
【請求項３】
インラインコート及びオフラインコートいずれにも有効である。
【請求項４】
アンチブロッキング剤として有機系微粒子ポリマーまたは無機フィラーを添加する。
【発明の詳細な説明】
【０００１】
【産業上の利用分野】ポリビニルアルコール樹脂及び変性ポリビニルアルコール樹脂をコートしたバリア包材は、ＰＶＤＣコートのバリア包材に変わるコートフィルムとして使用されている。
【０００２】
【従来の技術】ポリビニルアルコール樹脂及び変性ポリビニルアルコール樹脂をポリオレフィン、ポリエステル、ポリスチレン、ナイロン等延伸フィルムにコートする際イソシアネート等を使用し易接着処理をしてオフラインでコートしている。
【０００３】
【発明が解決しようとする課題】
ポリオレフィン、ポリエステル、ポリスチレン、ナイロン等未処理または表面処理した延伸フィルムに易接着処理をしてポリビニルアルコール樹脂及び変性ポリビニルアルコール樹脂をコートしているが、易接着処理をしても接着性が弱い為コート膜が剥がれる。
【０００４】
【課題を解決する為の手段】
ポリオレフィン、ポリエステル、ポリスチレン、ナイロン等の未延伸又は縦延伸後の未処理または表面処理したフィルムに水溶性ポリエステル樹脂を０．０１〜１．５ｇ／ｍ２コート乾燥することにより、ポリビニルアルコール樹脂及び変性ポリビニルアルコール樹脂をコート乾燥する。横延伸後１５０〜３００℃で１〜９０秒熱処理し４０℃で２日以上エージングする事により、接着性が改善される。これによりインラインコートでの対応も可能になる。ポリビニルアルコール樹脂及び変性ポリビニルアルコール樹脂のアンチブロッキング剤としては有機系微粒子ポリマーまたは無機フィラーが有効である。
ポリオレフィン、ポリエステル、ポリスチレン、ナイロン等の未処理又は表面処理した延伸後のフィルムに対してもアンカー剤として有効である。
【０００５】
【実施例１】未延伸の未処理ポリエステルフィルムにアンカー剤として水溶性ポリエステル樹脂を０．３ｇ／ｍ２コート乾燥後、ポリビニルアルコール樹脂及び変性ポリビニルアルコール樹脂を１２％水溶液に調整し、アンチブロッキング剤としてＰＭＭＡ微粒子ポリマーを添加したものをコート乾燥後延伸する。延伸後２００℃×１５秒熱処理を行う。
【実施例２】未処理の延伸ポリエステルフィルムにアンカー剤として水溶性ポリエステル樹脂を０．３ｇ／ｍ２コート乾燥後、ポリビニルアルコール樹脂及び変性ポリビニルアルコール樹脂を１２％水溶液に調整し、アンチブロッキング剤としてＰＭＭＡ微粒子ポリマーを添加したものをコート乾燥する。これに２００℃×１５秒熱処理を行う。
【実施例３】縦延伸のコロナ処理ポリプロピレンフィルムにアンカー剤として水溶性ポリエステル樹脂を０．３ｇ／ｍ２コート乾燥後、ポリビニルアルコール樹脂及び変性ポリビニルアルコール樹脂を１２％水溶液に調整し、アンチブロッキング剤としてＰＭＭＡ微粒子ポリマーを添加したものをコート乾燥後延伸する。延伸後１８０℃×１５秒熱処理を行う。
【実施例４】コロナ処理した延伸ポリプロピレンフィルムにアンカー剤として水溶性ポリエステル樹脂を０．３ｇ／ｍ２コート乾燥後、ポリビニルアルコール樹脂及び変性ポリビニルアルコール樹脂を１２％水溶液に調整し、アンチブロッキング剤としてＰＭＭＡ微粒子ポリマーを添加したものをコート乾燥する。これに１８０℃×１５秒熱処理を行う。
【比較例１】未処理の延伸ポリエステルフィルムにアンカー剤として水分散可能なイソシアネートを０．３ｇ／ｍ２コート乾燥後、ポリビニルアルコール樹脂及び変性ポリビニルアルコール樹脂を１２％水溶液に調整し、アンチブロッキング剤としてＰＭＭＡ微粒子ポリマーを添加したものをコート乾燥する。これに２００℃×１５秒熱処理を行う。
【比較例２】コロナ処理した延伸ポリプロピレンフィルムにアンカー剤として水分散可能なイソシアネートを０．３ｇ／ｍ２コート乾燥後、ポリビニルアルコール樹脂及び変性ポリビニルアルコール樹脂を１２％水溶液に調整し、アンチブロッキング剤としてＰＭＭＡ微粒子ポリマーを添加したものをコート乾燥する。これに１８０℃×１５秒熱処理を行う。
上記実施例１〜４及び比較例１、２で延伸適正及び４０℃×２日エージング後接着性を測定した結果、表１のような結果が得られた。
2005008839.tif 000002
【０００６】
【発明の効果】水溶性ポリエステル樹脂をアンカー剤としてコートすることにより、延伸性を損なわず接着性が改善されインラインコートも可能になる。
(57)【要約】【課題】高温のエンジンルーム内において、磁石をガソリンに近づける場合、エンジンルームの熱による磁石への熱の影響を防ぐ為の構造を提供する。【解決の手段】ガソリンを磁石に隣接若しくは管の中に入れる事で、ガソリンを磁石の冷却媒体として使用する。【選択図】  図１
2005008840.tif 000002
【特許請求の範囲】
【請求項１】
磁気を与えたい流動体を、磁石の冷却媒体として使う事で、周囲が高温の場所でも、磁石が高温になり磁力が低下する事を防ぐ事を特徴とする、高効率磁気チューブ。
【発明の詳細な説明】
【０００１】
【発明の属する技術分野】
本発明は、カー用品、特に、燃焼効率の向上を目的とした物に関する。
【０００２】
【従来の技術】
ガソリンのラインに、磁石を挟みガソリンに磁気を当てる製品は売り出されていた。
【０００３】
【発明が解決しようとする課題】
しかしながら、上記した方法では、高温に弱い磁石を、高温のエンジンルームで使用する事になるので、磁力の低下を免れる事は出来なかった。
【０００４】
【課題を解決するための手段】
上記課題を解決するための本発明の技術的手段は、『磁石をガソリンに隣接させる、若しくはガソリンの中に投入する』ことである。
【０００５】
上記技術的手段は次のように作用する。
高温のエンジンルームの内でも、常に常温のガソリンが磁石を冷却し、磁石が高温になることを防ぐ。
【０００６】
【発明の効果】
本発明は、上記構成であるから次の特有の効果を有する。
磁石が高温にならないので、熱による磁力の低下が少ない。
【０００７】
さらに、磁石が隣接しているので、強力な磁力を当てる事が出来る。
【０００８】
【発明の実施の形態】
次ぎに、上記した本発明の実施の形態を図面に従って詳述する。
本発明は、図１に示すように大きく２つの部分、「ガソリンが通る部分（２）・外部から閉鎖された部分（７）から構成されている。
【０００９】
図１は、ガソリンが通る部分の断面を示しており、磁石（１）が、ガソリンが通る管の内部と、それを上下から挟んだ形状になっており、さらにその周りを囲み、外部と閉鎖された状態である事を示している。
【図面の簡単な説明】
【図１】本発明を、ガソリンが通る方向から垂直みた断面図。
【符号の説明】
（１）・・・磁石
（２）・・・ガソリン
（３）・・・外部と閉鎖された空間
（４）・・・磁気を通すパイプ
（５）・・・磁気シールド
【図１】
2005008840.tif 000003
(57)【要約】【課題】これまで部分的にしか有効に利用されていなかった植物であるカッコウアザミを利用して、安全で効果の高い美白剤を提供する。【解決手段】カッコウアザミ属に属する植物の抽出物と活性成分とする美白剤。【特許請求の範囲】
【請求項１】
カッコウアザミ属に属する植物の抽出物を活性成分とする美白剤。
【請求項２】
カッコウアザミに属する植物が、カッコウアザミ（アゲラタム  コニトィデス）、またはオオカッコウアザミ（アゲラタム  ハウストニアニウム）磁鉄鉱を濃塩酸に溶解させ得られた活性水に請求項１に記載の美白剤。
【発明の詳細な説明】
【０００１】
【発明の属する技術分野】本発明は美白剤に関し、更に詳しくは、特定の属の植物から抽出された成分を活性成分とする美白剤に関する。
【０００２】
【従来の技術】カッコウアザミ属はキク科に属し、その特徴ある花の形態からしばしば園芸用に賞用される。またカッコウアザミは、中国では漢薬の１種として解熱、咽喉痛、外傷等に対して使用され、熱帯アジアでは民間薬として用いられる植物の１種である。（世界有用事典（平凡社）５５頁参照）。
【０００３】
【発明が解決しようとする課題】本発明は、従来薬用に一部活用されているだけに過ぎないカッコウアザミ属に属する植物、すなわち未利用植物資源を活用し、有用な美白剤を提供しようとするものである。
【０００４】
【課題を解決するための手段】即ち、本発明は、カッコウアザミ属に属する植物の抽出物を活性成分とする美白剤を提供する。
【０００５】
【発明の実施の形態】カッコウアザミ属に属する植物としては、カッコウアザミ（アゲラタム  コニトィデス）、またはオオカッコウアザミ（アゲラタム  ハウストニアニウム）が例示でき、特に、花期の地上部から抽出するとよい。成分の抽出は、以下のように行うことができる。カッコウアザミ属に属する植物の一部、好ましくは花期の地上部を陰乾し、粗切後、抽出用溶媒（例えばメタノールやエタノール等のアルコール、蒸留水など）と共に加温し、または、冷浸して抽出液を得、４５℃以下の温度で、減圧下、抽出液から溶媒を留去し、乾燥エキスはそのまま室温で保存することができる。
【０００６】美白剤は、適当な溶媒に乾燥エキスを溶解することにより調製することができる。乾燥エキスは、通常溶媒１ｍＬ当たり１０〜１００ｍｇ加えればよい。抽出溶媒を適切に選べば、抽出液をそのまま、若しくは希釈又は濃縮して美白剤として使用することができる。
【０００７】
【実施例】以下、実施例を挙げて本発明を詳細に説明する。
実施例および比較例
花期のカッコウアザミの乾燥物１５ｇを粗切し、抽出容器に入れ、これにエタノールまたは蒸留水を４００ｍＬ加えた。冷浸の場合は、時々振とうして３日間放置後濾過し、濾液を集め、４５℃で減圧下濃縮乾固させた。エキスの収率は約１０〜３０％であった。他の植物については地上部を用いてエキスを得た。
【０００８】美白試験方法はＢ−１６マウスメラノーマ細胞を用いた方法で次の通りである。１０％ＦＢＳを含むＥａｇｌｅ’ｓＭＥＭ培地に２０００Ｃｅｌｌ／Ｗｅｌｌとなるよう２４ウエルマイクロプレートに分植し、２４時間培養後、１０％ＦＢＳを含む培地で調整した試験検体を添加して培養３日目に培地交換を行い、さらに３日間培養した。細胞をＥＤＴＡにて剥離し、細胞浮遊液を遠沈管に移して遠心分離を行い、ペレットの色を肉眼で判定した。試験品は血清を含まないＭＥＭ培地にて０．１１１％（試験品２０ｍｇに対しＭＥＭ１８ｍＬ）濃度で超音波分散し、濾過滅菌した濾液にＦＢＳ、ＭＥＭ培地を添加して調節した（最終試験濃度０．００１％）。
結果を表１に示す。表１中、１〜６の番号は以下の植物の抽出エキスを示し、そのうち、４〜６の番号は任意に選択した植物エキスである。
１：カッコウアザミからのエタノール／蒸留水抽出エキス
２：カッコウアザミからの蒸留水抽出エキス
３：チガヤからのエタノール／蒸留水抽出エキス
４：チガヤからの蒸留水熱水抽出エキス
５：タカラブロウからエタノール／蒸留水抽出エキス
６：イラクサからの蒸留水熱水抽出エキス
【００９】表１に示したように、細胞培養後、３日目にコントロールの白色化傾向なしに対して、カッコウアザミからのエタノール／蒸留水抽出エキスおよび蒸留水熱水抽出エキスは、それぞれ明らかな白色化および弱い白色化を示し、他の植物抽出エキスよりも美白剤として優れていた。
【表１】
2005008611.tif 000002
(57)【要約】【課題】植物抽出物由来の美白剤が活性水を用いることにより本来有する美白効果をさらに向上する美白剤を提供する。【解決手段】カッコウアザミ属に属する植物の抽出物と活性水からなる美白剤。【特許請求の範囲】
【請求項１】
カッコウアザミ属に属する植物、すなわち、カッコウアザミ（アゲラタム  コニトィデス）、またはオオカッコウアザミ（アゲラタム  ハウストニアニウム）を蒸留水、エタノールあるいはその混合液から抽出される抽出物を活性成分とする美白剤。
【請求項２】
磁鉄鉱を濃塩酸に溶解させ得られた活性水に請求項１を溶解させた溶液における美白剤。
【発明の詳細な説明】
【０００１】
【発明の属する技術分野】本発明は美白剤に関し、更に詳しくは、特定の属の植物から抽出された成分と活性水からなる美白剤に関する。
【０００２】
【従来の技術】カッコウアザミは、中国では漢薬の１種として解熱、咽喉痛、外傷等に対して使用されており、その他の効果においては蒸留水、エタノールあるいはその混合液等特定の溶媒の抽出物は美白剤として効果が高い。
また活性水において磁鉄鉱を濃塩酸に溶解させ活性水を得る製造方法が報告（特開平７−６１８２２）されており、その製造法によりつくられるＦｅ２＋とＦｅ３＋のイオンが水の水素結合を分断させることにより、通常の水道水あるいはその他物理的、化学的処理水に比べて、集団分子（クラスター）を分極化させた活性水となる。水の磁場や電場を与える活性水は、動、植物の生理機能に正の影響を与えるといわれているが、生体での明確な生理活性効果はあまり見受けらていない。
【０００３】
【発明が解決しようとする課題】本発明は、カッコウアザミ属に属する植物から得られた美白活性成分を、磁鉄鉱を濃塩酸に溶解させ得られた活性水に溶解させることにより、美白効果を高める有用な美白剤を提供しようとするものである。
【０００４】
【課題を解決するための手段】即ち、本発明は、カッコウアザミ属に属する植物の抽出物を活性成分とし、さらにその効果を高める美白剤を提供する。
【０００５】
【発明の実施の形態】カッコウアザミ属に属する植物としては、カッコウアザミ（アゲラタム  コニトィデス）、またはオオカッコウアザミ（アゲラタム  ハウストニアニウム）が例示でき、特に、花期の地上部から抽出するとよい。成分の抽出は、以下のように行うことができる。カッコウアザミ属に属する植物の一部、好ましくは花期の地上部を陰乾し、粗切後、抽出用溶媒（例えばメタノールやエタノール等のアルコール、蒸留水など）と共に加温し、または、冷浸して抽出液を得、４５℃以下の温度で、減圧下、抽出液から溶媒を留去し、乾燥エキスはそのまま室温で保存することができる。
【０００６】活性水としては特開平７−６１８２２に記載の製造方法にもとづき製造したものを活性水とし、活性原液水を水に希釈する濃度は特に特定されない。
【０００７】
美白剤は、活性水に乾燥エキスを溶解することにより調整することができる。乾燥エキスは、通常溶媒１ｍＬ当たり１０〜１００ｍｇ加えればよい。
【０００８】
【実施例】以下、実施例を挙げて本発明を詳細に説明する。
実施例および比較例
花期のカッコウアザミの乾燥物１５ｇを粗切し、抽出容器に入れ、これにエタノールまたは蒸留水を４００ｍＬ加えた。冷浸の場合は、時々振とうして３日間放置後濾過し、濾液を集め、４５℃で減圧下濃縮乾固させた。エキスの収率は約１０〜３０％であった。他の植物については地上部を用いてエキスを得た。これら得られたエキスについて、０．１％原液入り活性水に１％の濃度にて溶解したものを試験品として使用した。また比較として活性水のかわりに蒸留水を用い、上記と同様の濃度試験を行った。
【０００９】美白試験方法はＢ−１６マウスメラノーマ細胞を用いた方法で次の通りである。１０％ＦＢＳを含むＥａｇｌｅ’ｓＭＥＭ培地に２０００Ｃｅｌｌ／Ｗｅｌｌとなるよう２４ウエルマイクロプレートに分植し、２４時間培養後、１０％ＦＢＳを含む培地で調整した試験検体を添加して培養３日目に培地交換を行い、さらに３日間培養した。細胞をＥＤＴＡにて剥離し、細胞浮遊液を遠沈管に移して遠心分離を行い、ペレットの色を肉眼で判定した。試験品は血清を含まないＭＥＭ培地にて０．１１１％濃度で調製し、濾過滅菌した濾液にＦＢＳ、ＭＥＭ培地を添加して調節した（最終試験濃度０．００１％）。
結果を表１に示す。
１：カッコウアザミからのエタノール／蒸留水抽出エキスの活性水水溶液
２：カッコウアザミからの蒸留水抽出エキスの活性水熱水溶液
３：チガヤからのエタノール／蒸留水抽出エキスの活性水水溶液
４：チガヤからの蒸留水熱水抽出エキスの活性水水溶液
５：タカラブロウからエタノール／蒸留水抽出エキスの活性水水溶液
６：イラクサからの蒸留水熱水抽出エキスの活性水水溶液
７：カッコウアザミからのエタノール／蒸留水抽出エキスの蒸留水水溶液
８：カッコウアザミからの蒸留水熱水抽出エキスの蒸留水水溶液
９：チガヤからのエタノール／蒸留水抽出エキスの蒸留水水溶液
１０：チガヤからの蒸留水熱水抽出エキスの蒸留酒水溶液
１１：タカラブロウからのエタノール／蒸留水抽出エキスの蒸留水水溶液
１２：イラクサからの蒸留水熱水抽出エキスの蒸留水水溶液
【００１０】表１に示したように、細胞培養後、３日目にコントロールの白色化傾向なしに対して、カッコウアザミからのエタノール／蒸留水抽出エキスおよび蒸留水熱水抽出エキスの活性水水溶液は、蒸留水溶液のそれらより、美白効果を高め、それぞれ、明らかな白色化、強い白色化を示し、また、他の植物抽出エキスよりも美白剤として優れていた。
【表１】
2005008610.tif 000002
(57)【要約】【課題】有効性植物を活性水あるいは活性水含有溶媒にて抽出することにより本来有する美白効果をさらに向上する美白剤を提供する。【解決手段】カッコウアザミ属に属する植物の活性水抽出物を活性成分とする美白剤。【特許請求の範囲】
【請求項１】
カッコウアザミ属に属する植物カッコウアザミ（アゲラタム  コニトィデス）、またはオオカッコウアザミ（アゲラタム  ハウストニアニウム）を由来とする美白剤。
【請求項２】
磁鉄鉱を濃塩酸に溶解させ得られた活性水あるいはその混合溶媒にて抽出される請求項１の美白剤。
【発明の詳細な説明】
【０００１】
【発明の属する技術分野】本発明は美白剤に関し、更に詳しくは、特定の属の植物から活性水あるいはその混合溶媒により抽出された抽出物を活性成分とする美白剤に関する。
【０００２】
【従来の技術】カッコウアザミは、中国では漢薬の１種として解熱、咽喉痛、外傷等に対して使用されており、その他の効果においては蒸留水、エタノールあるいはその混合液等特定の溶媒の抽出物は美白剤として効果が高い。
また活性水において磁鉄鉱を濃塩酸に溶解させ活性水を得る製造方法が報告（特開平７−６１８２２）されており、その製造法によりつくられるＦｅ２＋とＦｅ３＋のイオンが水の水素結合を分断させることにより、通常の水道水あるいはその他物理的、化学的処理水に比べて、集団分子（クラスター）を分極化させた活性水となる。水の磁場や電場を与える活性水は、動、植物の生理機能に正の影響を与えるといわれているが、生体での明確な生理活性効果はあまり見受けられない。
【０００３】
【発明が解決しようとする課題】本発明は、カッコウアザミ属に属する植物からの美白活性成分を磁鉄鉱を濃塩酸に溶解させ得られた活性水あるいはその混合溶媒にて抽出することにより、美白効果を高める有用な美白剤を提供しようとするものである。
【０００４】
【課題を解決するための手段】即ち、本発明は、カッコウアザミ属に属する植物からの美白活性成分を活性水にて抽出することにより、さらにその効果を高める美白剤を提供する。
【０００５】
【発明の実施の形態】カッコウアザミ属に属する植物としては、カッコウアザミ（アゲラタム  コニトィデス）、またはオオカッコウアザミ（アゲラタム  ハウストニアニウム）が例示でき、特に、花期の地上部から抽出するとよい。成分の抽出は、以下のように行うことができる。カッコウアザミ属に属する植物の一部、好ましくは花期の地上部を陰乾し、粗切後、活性水含有抽出溶媒（例えば活性水、活性水−メタノールや活性水−エタノールなど）と共に加温し、または、冷浸して抽出液を得、４５℃以下の温度で、減圧下、抽出液から溶媒を留去し、乾燥エキスはそのまま室温で保存することができる。
【０００６】活性水としては特開平７−６１８２２に記載の製造方法にもとづき製造したものを活性水とし、そのままあるいはそれを含有するものを抽出溶媒とする。活性水は活性原液水を水に希釈する濃度について特に特定されない。
【０００７】
活性水あるいは活性水混合溶媒から得られた美白剤は、蒸留水または活性水に乾燥エキスを溶解することにより調整することができる。乾燥エキスは、通常溶媒１ｍＬ当たり１０〜１００ｍｇ加えればよい。
【０００８】
【実施例】以下、実施例を挙げて本発明を詳細に説明する。
実施例および比較例
花期のカッコウアザミの乾燥物１５ｇを粗切し、抽出容器に入れ、これに活性水あるいは５０％エタノール活性水混合溶媒を４００ｍＬ加えた。冷浸の場合は、時々振とうして３日間放置後濾過し、濾液を集め、４５℃で減圧下濃縮乾固させた。エキスの収率は約１０〜３０％であった。他の植物については地上部を用いてエキスを得た。
【０００９】美白試験方法はＢ−１６マウスメラノーマ細胞を用いた方法で次の通りである。１０％ＦＢＳを含むＥａｇｌｅ’ｓＭＥＭ培地に２０００Ｃｅｌｌ／Ｗｅｌｌとなるよう２４ウエルマイクロプレートに分植し、２４時間培養後、１０％ＦＢＳを含む培地で調整した試験検体を添加して培養３日目に培地交換を行い、さらに３日間培養した。細胞をＥＤＴＡにて剥離し、細胞浮遊液を遠沈管に移して遠心分離を行い、ペレットの色を肉眼で判定した。試験品は血清を含まないＭＥＭ培地にて０．１１１％（試験品２０ｍｇに対しＭＥＭ１８ｍＬ）濃度で超音波分散し、濾過滅菌した濾液にＦＢＳ、ＭＥＭ培地を添加して調節した（最終試験濃度０．００１％）。
結果を表１に示す。
１：カッコウアザミからのエタノール／活性水抽出エキス
２：カッコウアザミからの活性水熱水抽出エキス
３：チガヤからのエタノール／活性水抽出エキス
４：チガヤからの活性水熱水抽出エキス
５：タカラブロウからエタノール／活性水抽出エキス
６：イラクサからの活性水熱水抽出エキス
７：カッコウアザミからのエタノール／蒸留水抽出エキス
８：カッコウアザミからの蒸留水熱水抽出エキス
９：チガヤからのエタノール／蒸留水抽出エキス
１０：チガヤからの蒸留水熱水抽出エキス
１１：タカラブロウからのエタノール／蒸留水抽出エキス
１２：イラクサからの蒸留水熱水抽出エキス
【００１０】表１に示したように、細胞培養後、３日目にコントロールの白色化傾向なしに対して、カッコウアザミからのエタノール／活性水抽出エキスおよび活性水熱水抽出エキスは、エタノール／蒸留水抽出エキスおよび蒸留水熱水抽出エキスより美白効果を高め、それぞれ、明らかな白色化、強い白色化を示し、また、他の植物抽出エキスよりも美白剤として優れていた。
【表１】
2005008609.tif 000002
(57)【要約】【課題】資産管理対象のディスプレイ装置から、外れることがなく、また表面が汚れたり、他のものに隠れたりしても、記録したＩＤ番号を読取ることができるような手段を用いて資産管理をするシステムを提供すること。【解決手段】ＩＤ番号を記録したＩＤチップ２を内蔵したディスプレイ装置１と前記ＩＤチップのＩＤ番号読取装置３と資産管理装置１０とから成り、ＩＤチップのＩＤ番号読取装置３は、ディスプレイ装置１の内蔵ＩＤチップへＩＤ番号読取信号を発信し、ＩＤチップ２から発信されたＩＤ番号を読込み、読込んだＩＤ番号を記憶し、記憶したＩＤ番号を資産管理装置１０へ送信する機能を有し、資産管理装置１０は、受信したＩＤ番号をデーターベース１１に格納し、このＩＤ番号を基にディスプレイ装置１の資産管理を行う機能を有する。【選択図】        図１
2005008330.tif 000002
【特許請求の範囲】
【請求項１】
ＩＤ番号を記録したＩＤチップを内蔵したディスプレイ装置と前記ＩＤチップのＩＤ番号読取装置と資産管理装置とから成り、
ＩＤチップのＩＤ番号読取装置は、ディスプレイ装置の内蔵ＩＤチップへＩＤ番号読取信号を発信する機能、ＩＤチップから発信されたＩＤ番号を読込む機能、読込んだＩＤ番号を記憶する機能、記憶したＩＤ番号を資産管理装置へ送信する機能を有し、
資産管理装置は、受信したＩＤ番号をデーターベースに格納する機能、このＩＤ番号を基にディスプレイ装置の資産管理を行う機能を有する、
ことを特徴とするＩＤチップを内蔵したディスプレイ装置の資産管理システム。
【発明の詳細な説明】
【０００１】
【発明の属する技術分野】
本発明は、ＩＤ番号を記録したＩＤチップを内蔵したディスプレイ装置の資産管理システムに関する。
【０００２】
【従来の技術】
従来物品を管理するのに、対象となる物品に該物品を識別するためのバーコードラベルを貼付し、このバーコードのＩＤ番号をバーコードリーダーで読み出して行うようにしたものがある（例えば、特許文献１参照。）。
【０００３】
【特許文献１】
特開２０００−２８９８１０号公報
【０００４】
【発明が解決しようとする課題】
しかしながらこのバーコードは、貼付した物品から剥がれたり、表面が汚れたり、経年変化したり、また他の物により隠れたりして、バーコードのＩＤ番号が読取れなくなって、物品の管理に支障を来たすことがあった。
本発明は、このような点に鑑み、物品を識別するためのＩＤ番号を記録した物が、経年変化せず、物品から外れることがなく、また表面が汚れたり、他のものに隠れたりしても、該番号を読取ることができるように、物品を識別するためのＩＤ番号を記録したＩＤチップを用い、これを資産管理対象の物品に内蔵しておき、そのＩＤ番号を読取って、該物品の資産管理をするシステムを提供することを目的とする。
【０００５】
【課題を解決するための手段】
上記目的を達成するために、本発明のＩＤ番号を記録したＩＤチップ２を内蔵したディスプレイ装置の資産管理システムは、ＩＤチップ２を内蔵したディスプレイ装置１と前記ＩＤチップのＩＤ番号読取装置３と資産管理装置１０とから成り、ＩＤチップのＩＤ番号読取装置３は、ディスプレイ装置１の内蔵ＩＤチップへＩＤ番号読取信号を発信する機能、ＩＤチップ２から発信されたＩＤ番号を読込む機能、読込んだＩＤ番号を記憶する機能、記憶したＩＤ番号を資産管理装置１０へ送信する機能を有し、資産管理装置１０は、受信したＩＤ番号をデーターベース１１に格納する機能、このＩＤ番号を基にディスプレイ装置の資産管理を行う機能を有する。
【０００６】
【発明の実施の形態】
本発明の実施の形態を実施例にもとづき図面を参照して説明する。
図１は本発明のＩＤチップを内蔵したディスプレイ装置の資産管理システムの概念図である。
図１において、１はＩＤ番号を記録したＩＤチップ２を内蔵したディスプレイ装置、３は前記ＩＤチップ２のＩＤ番号読取装置、４はＩＤチップリーダー、５は通信部、１０は資産管理装置、１１はＤＢ（データーベース）である。
【０００７】
図２は本発明のＩＤチップのＩＤ番号読取装置の構成図である。
このＩＤチップのＩＤ番号読取装置３は、ＩＤチップのＩＤ番号を読込み可能なＩＤチップリーダー４、外部の資産管理装置１０と通信可能な通信部５、ＩＤチップのＩＤ番号を記憶可能な記憶部６、全体を制御する制御部７、表示部８、電源部９からなり、ディスプレイ装置１の内蔵ＩＤチップ２へＩＤ番号読取信号を発信し（▲１▼）、ＩＤチップ２から発信されたＩＤ番号を読込み（▲２▼）、読込んだＩＤ番号を記憶し（▲３▼）、記憶したＩＤ番号を資産管理装置１０へ送信する（▲４▼）。
【０００８】
図３はＩＤ番号読取装置３によるＩＤ番号の読込み処理フロー図である。
ディスプレイ装置１へ内蔵したＩＤチップ２のＩＤ番号を読取る場合、ＩＤ番号読取装置３をディスプレイ装置１に近づけて、ＩＤチップリーダー４からＩＤチップ２に対してＩＤ読取り信号を発信する（Ｓ３１）（図１の▲１▼）。
これによりＩＤチップ２からＩＤ番号が発信され、これをＩＤチップリーダー４で読込み（Ｓ３２）（図１の▲２▼）、読込んだＩＤ番号を記憶部６へ格納する（Ｓ３３）（図２の▲３▼）。
【０００９】
記憶部６へ格納したＩＤ番号は、通信部５を経由して適宜資産管理装置１０へ送信される（Ｓ３４）（図１、図２の▲４▼）。
資産管理装置１０はＩＤ番号読取装置３から受信したＩＤ番号をＤＢ１１に格納すると共に、このＩＤ番号を基にディスプレイ装置１の資産管理を行う。
【００１０】
【発明の効果】
本発明によれば、ディスプレイ装置を識別するためのＩＤ番号を記録したＩＣチップを該ディスプレイ装置に内蔵させたことにより、ディスプレイ装置から外れることがなく、ＩＣチップの前面に他のものがあっても、該番号を読取ることができ、また経年変化もなく、ディスプレイ装置の資産管理を行うことができる。
【図面の簡単な説明】
【図１】本発明のＩＤチップを内蔵したディスプレイ装置の資産管理システム概念図である。
【図２】本発明のＩＤ番号読取装置の構成図である。
【図３】本発明のＩＤ番号読取装置によるＩＤ番号の読込み処理フロー図である。
【符号の説明】
１  ディスプレイ装置
２  内蔵ＩＤチップ
３  ＩＤ番号読取装置
４  ＩＤチップリーダー
５  通信部
６  記憶部
７  制御部
８  表示部
９  電源部
１０  資産管理装置
１１  ＤＢ
【図１】
2005008330.tif 000003
【図２】
2005008330.tif 000004
【図３】
2005008330.tif 000005